(57)【特許請求の範囲】
【請求項１】
サーバに接続され、前記サーバからのデータを中継する伝送装置において、
前記データを受信する受信部と、
前記受信部によって受信されたデータから制御情報を抽出する制御情報抽出部と、
前記制御情報抽出部によって抽出された制御情報に、所定のデータに対する記憶要求が含まれている場合には当該データを取得するデータ取得部と、
前記データ取得部によって取得されたデータを記憶する記憶部と、
を有することを特徴とする伝送装置。
【請求項２】
前記制御情報に、前記記憶部に記憶されている所定のデータに対する読み出し要求が含まれている場合には、該当するデータを前記記憶部から読み出す読み出し部と、
前記読み出し部によって読み出された所定のデータを該当する相手装置に対して送信する送信部と、
を更に有することを特徴とする請求項１記載の伝送装置。
【請求項３】
前記送信部は、前記受信部の受信速度とは独立に任意の伝送速度でデータを送信することを特徴とする請求項２記載の伝送装置。
【請求項４】
前記制御情報を挿入する制御情報挿入部を更に有することを特徴とする請求項１記載の伝送装置。
【請求項５】
サーバに接続され、前記サーバからのデータを中継する中継網を構成する伝送装置において、
少なくとも１の前記伝送装置は、
前記データを受信する受信部と、
前記受信部によって受信されたデータから制御情報を抽出する制御情報抽出部と、
前記制御情報抽出部によって抽出された制御情報に、所定のデータに対する記憶要求が含まれている場合には当該データを取得するデータ取得部と、
前記データ取得部によって取得されたデータを記憶する記憶部と、
を有することを特徴とする伝送装置。
【発明の詳細な説明】
【０００１】
【発明の属する技術分野】
本発明は伝送装置および伝送システムに関し、特に、中継網において、ネットワークノード間を接続し、データを多重化して伝送する伝送装置およびそのような伝送装置が複数接続されて形成された伝送システムに関する。
【０００２】
【従来の技術】
近年、ＸＤＳＬ（X Digital Subscriber Line)、ＦＴＴＨ（Fiber to The Home）などと共に、ネットワークの広帯域化が進み、ビジネスチャンスが拡大するとともに、種々のサービスが提供され、それらを支える伝送網にも更なる広帯域化（ブロードバンド化）が求められている。
【０００３】
特に、音声や映像（画像）データなどの伝送帯域を多く使うデータ通信をＩＰプラットフォームで伝送させる試みがなされており、既にラジオ番組や音楽配信などの一部においては商業化されている。また、映像配信も低品質のものは既にサービスが開始されている。
【０００４】
現在、このようなデータ通信を実現する為に、インターネット網に多くのキャッシュサーバを配置した分散型のシステムが多く導入され、また、ネットワーク機器においては、ＩＰマルチキャスト技術（ネットワーク機器にてＩＰパケットをコピーし配信する技術）により配信が行われている。
【０００５】
また、ネットワークの広帯域化に伴い、ＬＡＮ(Local Area Network)システムから直接ＳＯＮＥＴ／ＳＤＨシステムやＷＤＭ(Wave Division Multiplex)に接続し、ネットワーク全体のスループットを向上させ、広いエリアで音楽配信や画像配信サービス等を取り組みも始められる。
【０００６】
よって今後、ＬＡＮとＳＯＮＥＴ／ＳＤＨ、ＷＤＭとの接続が増えて行くと考えられる。
以下では、先ず、「インターネットにおけるデータ伝送」と「ＳＯＮＥＴ／ＳＤＨの伝送」について説明する。
【０００７】
（１）インターネットにおけるデータ配信
図２０に示すネットワーク構成は、インターネット（ＩＰ：Internet Protocol）を利用した画像配信や有線放送の一例を示したものである。
【０００８】
ここでは、ＬＡＮ−ＷＡＮ(Wide Area Network)−ＬＡＮを介した一般的に利用される形態を例に挙げ、その技術を簡易に説明する。
この例は、カメラ１０、画像転送装置１１、画像サーバ１２、レイヤ２スイッチ１３、ＩＩＰルータ１４、ＷＡＮ１５、ＩＩＰルータ１６、画像サーバ１７、レイヤ２スイッチ１８、および、クライアント１９−１〜１９−３によって構成されている。
【０００９】
カメラ１０は、被写体の画像と音声をディジタルデータに変換して出力する。
画像転送装置１１は、カメラ１０から供給されたディジタルデータを、ＩＰパケット化し、レイヤ２スイッチ１３を介して転送する。
【００１０】
画像サーバ１２，１７は、画像データを一時的に格納し、クライアント１９−１〜１９−３の要求に応じて送信する。
レイヤ２スイッチ１３，１８は、データリンク層のレベルにおいてパケットのスイッチングを行う。
【００１１】
ＩＩＰ（Internet Imaging Protocol）ルータ１４，１６は、インターネットを使ってイメージデータと関連情報を交換するためのプロトコルに基づき、画像データを転送する。
【００１２】
ＷＡＮ１５は、ＡＴＭ（Asynchronous Transfer Mode）、ＳＯＮＥＴ／ＳＤＨ、ＩＳＤＮ、ＭＰＬＳ（Multi Protocol Label Switch）等によって構成されている。
【００１３】
クライアント１９−１〜１９−３は、画像データを受信して表示する。
図２０において、カメラ１０から出力された画像データおよび音声データは、以下のようにユーザが求めるサービスにより利用形態が分別される。
【００１４】
（Ａ）画像サーバ１７へ蓄積した後、ダウンロードする場合
カメラ１０から送信された画像データおよび音声データは、画像サーバ１７に蓄積された後、クライアント１９−１〜１９−３から要求があった場合には、レイヤ２スイッチ１８を介して要求を行ったクライアントに対して送信される。
【００１５】
（Ｂ）リアルタイム配信する場合
カメラ１０から送信された画像データおよび音声データは、画像転送装置１１によりＩＰパケット化された後、ＩＰマルチキャストに基づいて、クライアント１９−１〜１９−３に対してマルチキャスト配信される。
【００１６】
ところで、伝送される画像データは、基本的に容量が大きいデータである。特にＴＶ放送では１ｃｈ当たりのデータの大きさが、標準品質相当で３〜１０Ｍｂｉｔ／ｓ、高精細品質相当で２０Ｍｂｉｔ／ｓの帯域を常時使用することになる。音楽データなどは、８０〜１３０Ｋｂｉｔ／ｓである。このことから、音楽データについては、既存システムで十分提供可能と考えるが、映像データに関しては、ＬＡＮからＷＡＮを含めての通信速度の高速化と帯域の管理が必要である。例えば、映像データでは、１０ｃｈの配信を考えた場合、２０Ｍｂｐｓ×１０ｃｈ＝２００Ｍｂｐｓとなり、常時、その帯域がネットワーク上に流れていることになる。
【００１７】
ＬＡＮ、ＷＡＮを含めて、上記のトラフィックが常にかかることは、他の情報の妨げになる可能性もあり、また、経済的でない。
更に、最近、ネットワークのボトルネックにおいて、よく言われることは、ＬＡＮとＷＡＮのインタフェース速度の相違である。例えば、ＷＡＮにおいては、ユーザから見えるインタフェースはＩＳＤＮ（６４／１５４４ｋｂｐｓ ＤＳ１）やＡＴＭ（１５５Ｍ）、ＸＤＳＬの回線である。これらのデータはＳＯＮＥＴ／ＳＤＨ技術で多重化されてＯＣ−３（１５５Ｍ）、ＯＣ−１２（６２２Ｍ）、ＯＣ−４８（２．５Ｇ）、ＯＣ−１９２（１０Ｇ）などで伝送されるケースも増えている。例えば、ＩＰルータにおいてＰＯＳ（Packet Over Sonet）ユニットの搭載。一方、ＬＡＮにおいては１００Ｍや１Ｇのイーサーネットがあげられる。
【００１８】
ＬＡＮとＷＡＮの接続において、多くの場合、ＩＳＤＮ、ＡＴＭ、ＸＤＳＬが多用されており、ＬＡＮの１Ｇと比較した場合、明らかに伝送帯域が減っていることが分かる。これは、帯域が減少することにより通信時間が大きくなるからである。
【００１９】
また、画像／音声データの大容量のデータ伝送において、クライアント側（ユーザ）のＰＣにて画像及び音声が途切れることがある（パケットの遅延、破棄、順番入れ替わりの発生）。これは、今まで述べた帯域の影響とＩＰパケットがＢｅｓｔ Ｅｆｆｏｒｔの思想であることが原因である。
【００２０】
現在、これらの問題を回避する為に、インターネットに分散してキャッシュサーバを置き、情報の蓄積、および、インターネットにおけるパケットの遅延・破棄・順番の入れ替りを吸収する構成を採用している。
【００２１】
図２１は、インターネット内における分散したキャッシュサーバの構成を示したものである。なお、ネットワーク機器であるＩＰルータ、ハブ等は除外してある。この例では、広域ネットワーク網３０は、キャッシュサーバ３０ａ〜３０ｄを有している。
【００２２】
キャッシュサーバ３０ｄには、クライアント３１，３２が接続され、キャッシュサーバ３０ｃには、クライアント３３，３４が接続され、また、キャッシュサーバ３０ｂにはクライアント３５が接続されている。
【００２３】
このように、クライアント３１〜３５の近くにキャッシュサーバ３０ａ〜３０ｄを設置することで、接続要求毎にオリジナルコンテンツへアクセスするという無駄を回避し、レスポンスの向上とトラフィックの低減を図ることが可能になる。
【００２４】
（２）ＳＯＮＥＴ／ＳＤＨシステムの現状
ＳＯＮＥＴ／ＳＤＨ装置は、主に通信事業者の基幹網で利用する高速伝送装置である。通信事業者がサービスを提供する電話、専用線、ＩＰなど様々なデータが流れている。こうしたデータは２．５Ｇｂｐｓ，１０Ｇｂｐｓ，４０Ｇｂｐｓの高速回線に束ねて１本のファイバーで伝送する。この多重に使う技術をＳＯＮＥＴと言う。ＳＯＮＥＴ／ＳＤＨの基本的な特徴として、図２２のように、入回線と出回線が不均一になることはなく、常に同時性を有している。即ち、図２２の例では、ＳＯＮＥＴ装置４０を入回線とし、ＳＯＮＥＴ装置４１を出回線とする回線では、入側と出側の通信速度は２．５Ｇｂｐｓで等しい。一方、ＳＯＮＥＴ装置４３を入回線とし、ＳＯＮＥＴ装置４２を出回線とする回線では、入側は２．５Ｇｂｐｓであり、出側は６２２Ｍｂｐｓとなっているが、実際にはこのような構成はあり得ない。
【００２５】
データ通信でのパケットの伝送は、基本的に一つの回線を多くのネットワーク端末で共有し、回線の帯域を共有し、同時性は必ずしも保たれてはいない。しかし、ＳＯＮＥＴでは、あらかじめ帯域への回線の割当が決められており常に同時性は保たれている。
【００２６】
【発明が解決しようとする課題】
ところが、従来技術で述べたようなブロードバンドサービスを広域展開した場合、キャッシュサーバやネットワーク機器を様々な条件下に分散しておくことになるため、キャッシュサーバとデータの送り元のサーバ間で帯域が十分に確保されていない場合も出てくる。また、ＳＯＮＥＴ／ＳＤＨが入る場合だと、ＳＯＮＥＴ／ＳＤＨの回線を無駄に占有してしまう場合もある。
【００２７】
その場合は、送り元のサーバの送り出しデータ量が制限されてしまうことになり、たとえ、途中の通信路の帯域が大きくても（ＳＯＮＥＴ／ＳＤＨの回線など）、それを有効利用できないという問題点がある。
【００２８】
また、ブロードバンドサービス(画像、音楽配信など)の性質上キャッシュサーバに送るデータは同じデータになることが多いにもかかわらず、キャッシュサーバの数を増やせば増やした分だけ同じデータを送り元のサーバから送り直す必要があるため、回線の利用効率が悪いという問題がある。即ち、図２３に示す例では、コンテンツ提供サーバ５１は、各キャッシュサーバ５２〜５４に対してコンテンツデータを合計３回送信する必要があるため、ＳＯＮＥＴ装置５０ａ，５０ｂによって構成される広域ネットワーク網５０の利用効率が悪いという問題点があった。
【００２９】
本発明はこのような点に鑑みてなされたものであり、画像データおよび音声データを効率良く配信することが可能な伝送装置および伝送システムを提供することを目的する。
【００３０】
【課題を解決するための手段】
本発明では上記課題を解決するために、図１に示す、サーバに接続され、前記サーバからのデータを中継する伝送装置６０において、前記データを受信する受信部６０ａと、前記受信部６０ａによって受信されたデータから制御情報を抽出する制御情報抽出部６０ｂと、前記制御情報抽出部６０ｂによって抽出された制御情報に、所定のデータに対する記憶要求が含まれている場合には当該データを取得するデータ取得部６０ｃと、前記データ取得部６０ｃによって取得されたデータを記憶する記憶部６０ｄと、を有することを特徴とする伝送装置６０が提供される。
【００３１】
ここで、受信部６０ａは、データを受信する。制御情報抽出部６０ｂは、受信部６０ａによって受信されたデータから制御情報を抽出する。データ取得部６０ｃは、制御情報抽出部６０ｂによって抽出された制御情報に、所定のデータに対する記憶要求が含まれている場合には当該データを取得する。記憶部６０ｄは、データ取得部６０ｃによって取得されたデータを記憶する。
【００３２】
サーバに接続され、前記サーバからのデータを中継する中継網を構成する伝送装置において、少なくとも１の前記伝送装置は、前記データを受信する受信部と、前記受信部によって受信されたデータから制御情報を抽出する制御情報抽出部と、前記制御情報抽出部によって抽出された制御情報に、所定のデータに対する記憶要求が含まれている場合には当該データを取得するデータ取得部と、前記データ取得部によって取得されたデータを記憶する記憶部と、を有することを特徴とする伝送装置が提供される。
【００３３】
ここで、少なくとも１の伝送装置において、受信部６０ａは、データを受信する。制御情報抽出部６０ｂは、受信部６０ａによって受信されたデータから制御情報を抽出する。データ取得部６０ｃは、制御情報抽出部６０ｂによって抽出された制御情報に、所定のデータに対する記憶要求が含まれている場合には当該データを取得する。記憶部６０ｄは、データ取得部６０ｃによって取得されたデータを記憶する。
【００３４】
【発明の実施の形態】
以下、本発明の実施の形態を図面を参照して説明する。
図１は、本発明の動作原理を説明する原理図である。この図に示すように、本発明の伝送装置６０は、受信部６０ａ、制御情報抽出部６０ｂ、データ取得部６０ｃ、記憶部６０ｄ、読み出し部６０ｅ、および、送信部６０ｆによって構成されており、コンテンツ提供サーバ６１、他の伝送装置６２、および、クライアント６３と接続されている。
【００３５】
ここで、伝送装置６０の受信部６０ａは、データを受信する。
制御情報抽出部６０ｂは、受信部６０ａによって受信されたデータから制御情報を抽出する。
【００３６】
データ取得部６０ｃは、制御情報抽出部６０ｂによって抽出された制御情報に、所定のデータに対する記憶要求が含まれている場合には該当するデータを取得する。
【００３７】
記憶部６０ｄは、データ取得部６０ｃによって取得されたデータを記憶する。読み出し部６０ｅは、制御情報に、記憶部６０ｄに記憶されている所定のデータに対する読み出し要求が含まれている場合には、該当するデータを記憶部６０ｄから読み出す。
【００３８】
送信部６０ｆは、読み出し部６０ｅによって読み出された所定のデータを該当する相手装置に対して送信する。
コンテンツ提供サーバ６１は、例えば、画像データをコンテンツデータとして送信する。
【００３９】
伝送装置６２は、伝送装置６０と同様の構成とされており、図示せぬ他の伝送装置とともに広域ネットワーク網を構成している。
クライアント６３は、ユーザ側に配置された、例えば、パーソナルコンピュータによって構成されている。
【００４０】
次に、以上の原理図の動作について説明する。
先ず、コンテンツ提供サーバ６１は、伝送装置６２に対して、画像データを供給するとともに、この画像データを伝送装置６０の記憶部６０ｄに記憶するように要求する。
【００４１】
伝送装置６２は、コンテンツ提供サーバ６１から供給された画像データに基づいて、記憶部６０ｄに記憶するように要求する制御情報を生成し、伝送装置６０に送信する。
【００４２】
伝送装置６０は、このようにして送信されてきた制御情報を受信部６０ａが受信する。
制御情報抽出部６０ｂは、受信部６０ａによって受信された制御情報を抽出し、データ取得部６０ｃに供給する。
【００４３】
データ取得部６０ｃは、制御情報に関連づけされている画像データを取得し、この画像データを記憶部６０ｄの所定の領域に格納する。
このとき、コンテンツ提供サーバ６１と伝送装置６０との間における画像データの転送は、従来の場合に比較して、クライアント６３との間の回線速度に束縛されないため、高速に実行することができる。
【００４４】
次に、記憶部６０ｄに画像データが格納された状態において、クライアント６３から画像データを読み出す要求がなされたとすると、この要求は、コンテンツサーバ６１に供給される。コンテンツサーバ６１は、クライアントからの要求に応じて、画像データの読み出しを要求する制御情報を伝送装置６２を通じて伝送装置６０に送信する。
【００４５】
伝送装置６０の制御情報抽出部６０ｂは、受信部６０ａによって受信された情報からこの制御情報を抽出する。制御情報抽出部６０ｂは、抽出した制御情報が読み出しを要求する制御情報であることから、この制御情報を読み出し部６０ｅに供給する。
【００４６】
読み出し部６０ｅは、制御情報によって指定された画像データを、記憶部６０ｄから読み出し、送信部６０ｆに供給する。
送信部６０ｆは、読み出し部６０ｅによって記憶部６０ｄから読み出された画像データを、要求を行ったクライアント６３に対して送信する。
【００４７】
このとき、伝送装置６２と伝送装置６０の間の回線は使用されないので、他のユーザの回線を圧迫することなく画像データを転送することが可能になる。
また、送信部６０ｆとクライアント６３との間の回線の伝送速度は、伝送装置６２と伝送装置６０との間の回線の通信速度とは無関係に、クライアント６３に応じて任意に設定することが可能になるので、クライアント６３に応じた最適な通信速度で画像データを伝送することが可能になる。
【００４８】
なお、この例では、送信部６０ｆにはクライアント６３のみが接続されているが、複数のクライアントを接続することも可能である。その場合には、複数のクライアントに対して同時に画像データ等を送信することができる。
【００４９】
以上に説明したように、本発明の伝送装置６０によれば、伝送装置６０の内部に記憶部６０ｄを設けてコンテンツ提供サーバ６１からの画像データを記憶し、クライアント６３から要求がなされた場合には、記憶部６０ｄに格納されている該当する画像データを読み出して供給するようにしたので、他のユーザの回線を圧迫することなく、クライアント６３に最適な通信速度で画像データを伝送することが可能になる。
【００５０】
次に、本発明の実施の形態について説明する。
図２は、本発明の実施の形態の構成例を示す図である。この図に示すように、本発明の実施の形態は、コンテンツ提供サーバ７０、変換装置７１、ＳＯＮＥＴ装置７２〜７５、変換装置７６、および、クライアント７７〜７９によって構成されている。
【００５１】
ここで、コンテンツ提供サーバ７０は、画像データまたは音声データを格納しており、クライアント７７〜７９の要求に応じて、または、図示せぬプロバイダからの要求に応じて画像データまたは音声データを送信する。なお、以下では、画像データを例に挙げて説明するが、本発明が画像データにのみ限定されるものではなく、リアルタイム性を要求されないデータならば何でもよい。
【００５２】
変換装置７１は、ＩＰパケットをＳＯＮＥＴの伝送形式に応じたフレーム（ＳＯＮＥＴフレーム）に変換するとともに、制御情報を関連付けしてＳＯＮＥＴ装置７２に供給する。
【００５３】
図３は、変換装置７１の詳細な構成例を示す図である。この図に示すように、変換装置７１は、入力ポート７１ａ〜７１ｃ、変換回路７１ｄ、制御情報抽出回路７１ｅ、出力ポート７１ｆによって構成されている。
【００５４】
ここで、入力ポート７１ａ〜７１ｃは、それぞれに接続されたノードから供給されたデータ（ＩＰパケット）を受信する。
制御情報抽出回路７１ｅは、入力ポートから入力されたデータから制御情報を抽出し、変換回路７１ｄに供給する。
【００５５】
変換回路７１ｄは、ＩＰパケットをＳＯＮＥＴフレームに変換するとともに、制御情報抽出回路７１ｅから供給された制御情報を、制御信号に付加して出力ポート７１ｆに供給する。
【００５６】
出力ポート７１ｆは、ＳＯＮＥＴフレームに変換されたデータを、ＳＯＮＥＴ装置７２に対して供給する。
図２に戻って、変換装置７６は、ＳＯＮＥＴフレームをＩＰパケットに変換するとともに、制御情報に応じてデータをクライアント７７〜７９に供給する。
【００５７】
図４は、変換装置７６の詳細な構成例を示す図である。この図に示すように、変換装置７６は、入力ポート７６ａ、変換回路７６ｂ、制御情報抽出回路７６ｃ、および、出力ポート７６ｄ〜７６ｆによって構成されている。
【００５８】
ここで、入力ポート７６ａは、ＳＯＮＥＴ装置７３から送信されたデータ（ＳＯＮＥＴフレーム）を受信する。
制御情報抽出回路７６ｃは、入力ポート７６ａから入力されたデータから制御情報を抽出し、変換回路７６ｂに供給する。
【００５９】
変換回路７６ｂは、ＳＯＮＥＴフレームをＩＰパケットに変換するとともに、制御情報抽出回路７６ｃから供給された制御情報を、ＩＰパケットに付加して出力ポート７６ｄ〜７６ｆに供給する。
【００６０】
出力ポート７６ｄ〜７６ｆは、ＩＰパケットに変換されたデータを、クライアント７７〜７９に対してそれぞれ供給する。
なお、この実施の形態では、複数の出力ポート７６ｄ〜７６ｆを設けるようにしたが、単一の出力ポートを設け、ルータ等によってパケットをクライアント７７〜７９に分配することも可能である。
【００６１】
図２に戻って、ＳＯＮＥＴ装置７２〜７５は、受信したデータを時分割多重化し、高速データ伝送を行う。この例では、ＳＯＮＥＴ装置７２〜７５は、ＲＩＮＧネットワークを構成しており、ＯＣ７６８（４０Ｇｂｐｓ）の伝送容量を有するＳＯＮＥＴ  ＡＤＭ（Add/Drop Multiplexer）構成となっている。
【００６２】
図５は、ＳＯＮＥＴ装置７３の詳細な構成例を示す図である。
この図に示すように、ＳＯＮＥＴ装置７３は、入力バッファ１００〜１０３、ＰＯＨ（Path Over Head）終端部１０４〜１０７、制御情報抽出部１０８、経路切り換え部１０９、ハードディスク１１０、データ記憶制御部１１１、制御部１１２、経路選択部１１３、ＰＯＨ挿入部１１４〜１１７、制御情報挿入部１１８、ＦＲＡＭＥＲ１１９〜１２２、および、変換部１２３〜１２６によって構成されている。
【００６３】
ここで、入力バッファ１００〜１０３は、入力されたデータを一時的に格納し、ＰＯＨ終端部１０４〜１０７にそれぞれ供給する。
ＰＯＨ終端部１０４〜１０７は、入力バッファ１００〜１０３から供給されたデータから制御情報を抽出して制御情報抽出部１０８に供給し、主データについては経路切り換え部１０９に供給する。
【００６４】
制御情報抽出部１０８は、ＰＯＨ終端部１０４〜１０７に制御情報を抽出させ、データ記憶制御部１１１および制御部１１２に供給する。
経路切り換え部１０９は、ＰＯＨ終端部１０４〜１０７から供給されたデータの経路を、データ記憶制御部１１１または制御部１１２の制御に応じて切り換える。
【００６５】
ハードディスク１１０は、データ記憶制御部１１１または制御部１１２の制御に応じて、経路切り換え部１０９から供給されるデータを記憶するとともに、記憶されているデータを読み出して経路選択部１１３に供給する。
【００６６】
データ記憶制御部１１１は、ハードディスク１１０に対してデータを書き込み、また、書き込まれているデータを読み出す制御を行う。
制御部１１２は、ＳＯＮＥＴ装置全体を制御する部分であり、装置およびデータの監視制御を担当する。
【００６７】
経路選択部１１３は、データ記憶制御部１１１または制御部１１２の制御に応じて、データの経路を選択する。
ＰＯＨ挿入部１１４〜１１７は、制御情報挿入部１１８の制御に応じて、データに対してＰＯＨを挿入する。
【００６８】
制御情報挿入部１１８は、ＰＯＨ挿入部１１４〜１１７を制御し、経路選択部１１３から出力されるデータに対して、制御情報を挿入させる。
ＦＲＡＭＥＲ１１９〜１２２は、ＰＯＨ挿入部１１４〜１１７から出力されたデータをＳＯＮＥＴフレーム化して出力する。
【００６９】
変換部１２３〜１２６は、ＦＲＡＭＥＲ１１９〜１２２からそれぞれ出力された電気信号を光信号に変換して出力する。
図２に戻って、クライアント７７〜７９は、コンテンツ提供サーバ７０に対して画像データまたは音声データを送信するように要求するとともに、送信されてきたこれらのデータを表示装置またはスピーカに出力する。
【００７０】
次に、以上の実施の形態の動作について説明する。
先ず、図示せぬプロバイダ（コンテンツを配布するサービスを提供する者）から、コンテンツ提供サーバ７０に対して、画像データ等をＳＯＮＥＴ装置７３に供給して、そこに記憶させるように要求があったとする。
【００７１】
すると、コンテンツ提供サーバ７０は、画像データを記憶することを示す入力ポート（例えば、図３の例では、入力ポート７１ｂ）に対して指定された画像データを供給するとともに、制御情報として図６に示す、Ｎｏ．１，６，７，８，９，１０の情報を供給する。ここで、Ｎｏ．１の情報は記憶媒体に対象データを記憶するように要求する「データ記憶要求」である。Ｎｏ．６の情報は対象データを特定するためのＩＤである「データＩＤ」である。Ｎｏ．７の情報は対象データのデータサイズを示す「データ量情報」である。Ｎｏ．８の情報は対象データの主信号中の存在位置を示す「データ場所情報」である。Ｎｏ．９の情報は対象データの送信先を示す「送り先情報」である。Ｎｏ．１０の情報は対象データの送信元を示す「送り元情報」である。
【００７２】
なお、制御情報としては、これ以外にも、Ｎｏ．２〜５およびＮｏ．１１の情報が存在する。ここで、Ｎｏ．２の情報は、記憶媒体から対象データを読み出すように要求する「データ読み出し要求」である。Ｎｏ．３の情報は対象データを記憶媒体から消去するように要求する「データ消去要求」である。Ｎｏ．４の情報は対象データの消去禁止要求である「データロック要求」である。Ｎｏ．５の情報は対象データ消去禁止解除要求である「データロック解除要求」である。また、Ｎｏ．１１の情報は将来の拡張用に確保してある。
【００７３】
変換装置７１は、入力ポート７１ｂからこのような制御情報を入力し、制御情報抽出回路７１ｅがこれを抽出し、変換回路７１ｄに供給する。
変換回路７１ｄは、入力ポート７１ｂから入力した画像データをＳＯＮＥＴフレームに変換する際に、画像データを保存するフレームの空きＰＯＨに対して、制御情報抽出回路７１ｅから供給された制御情報を挿入する。
【００７４】
即ち、変換回路７１ｄは、図７に示すＰＯＨのＪ１バイト１５０に４バイトからなるデータＩＤ（Ｎｏ．６）と、４バイトからなるデータ量情報（Ｎｏ．７）とを挿入する。
【００７５】
また、Ｆ２バイト１５４に２ビットからなるデータ記憶要求（Ｎｏ．１）を挿入し、Ｚ３バイト１５６に１バイトからなる送り元情報（Ｎｏ．１０）を挿入し、更に、Ｚ４バイト１５７に１バイトからなる送り先情報（Ｎｏ．９）を挿入する。
【００７６】
このようにして生成されたＳＯＮＥＴフレームは、出力ポート７１ｆにて光信号に変換された後、ＳＯＮＥＴ装置７２に送信される。
ＳＯＮＥＴ装置７２は、変換装置７１から供給された光信号を、制御情報に応じてクロスコネクトし、送信先であるＳＯＮＥＴ装置７３に転送する。
【００７７】
ＳＯＮＥＴ装置７３では、受信した光信号が電気信号に変換された後、例えば、入力バッファ１００に供給される。
入力バッファ１００は、供給された信号を一時的に格納した後、ＰＯＨ終端部１０４に供給する。
【００７８】
ＰＯＨ終端部１０４は、制御情報抽出部１０８の制御に応じて制御情報を抽出し、制御情報抽出部１０８に供給する。
制御情報抽出部１０８は、ＰＯＨ終端部１０４から供給された制御情報を、データ記憶制御部１１１に供給する。
【００７９】
いまの例では、制御情報としては、データ記憶要求が挿入されているので、データ記憶制御部１１１は、経路切り換え部１０９を制御することにより、ＰＯＨ終端部１０４から供給される画像データを、ハードディスク１１０に供給し、所定の領域に格納させるとともに、そのデータのデータＩＤとデータ量情報、および、データが格納されているハードディスク１１０上の領域を示す情報を関連付けして登録する。
【００８０】
以上の処理により、コンテンツ提供サーバ７０に格納されている画像データが、ＳＯＮＥＴ装置７３に転送され、ハードディスク１１０に格納されることになる。
【００８１】
次に、例えば、クライアント７７から画像データをダウンロードする要求がコンテンツ提供サーバ７０に対してなされたとすると、この要求は、インターネット網を介して、制御部１１２に対して供給される。
【００８２】
ＳＯＮＥＴ装置７２の制御部１１２は、この要求を入力し、ＳＯＮＥＴ装置７３を送信先とするフレームを生成する。そして、そのフレームのＰＯＨのＪ１バイト１５０に読み出そうとするデータＩＤとデータ量情報を挿入し、また、Ｆ２バイト１５４にデータ読み出し要求を挿入し、更に、Ｚ３バイト１５６とＺ４バイト１５７に、送り元情報と送り先情報とをそれぞれ挿入する。
【００８３】
ＳＯＮＥＴ装置７２は、このようにして生成したデータを、ＳＯＮＥＴ装置７３に対して送信する。
ＳＯＮＥＴ装置７３は、このデータを、入力バッファ１００を介して入力し、ＰＯＨ終端部１０４に供給する。
【００８４】
ＰＯＨ終端部１０４は、制御情報抽出部１０８の制御に応じて、入力バッファ１００から供給されたデータから制御情報を抽出し、制御情報抽出部１０８に供給する。制御情報抽出部１０８は、ＰＯＨ終端部１０４から供給された制御情報を、データ記憶制御部１１１に供給する。
【００８５】
データ記憶制御部１１１は、制御情報に含まれているデータＩＤを参照し、目的のデータをハードディスク１１０から読み出すように指示するとともに、経路選択部１１３に対してハードディスク１１０から読み出されたデータを選択するように指示する。また、制御情報挿入部１１８に対して、送り先情報（図６に示すＮｏ．９）を制御情報として供給する。
【００８６】
その結果、ハードディスク１１０から読み出されたデータは、経路選択部１１３によって選択され、ＰＯＨ挿入部１１４に供給される。
ＰＯＨ挿入部１１４は、制御情報挿入部１１８から供給された送信先情報を、Ｚ４バイト１５７に挿入し、ＦＲＡＭＥＲ１１９に供給する。
【００８７】
ＦＲＡＭＥＲ１１９は、ＰＯＨ挿入部１１４によって制御情報が挿入されたデータをＳＯＮＥＴフレームに変換し、変換部１２３に供給する。
変換部１２３は、ＦＲＡＭＥＲ１１９から供給されたデータを、光信号に変換し、出力する。
【００８８】
このようにして送信されたデータは、変換装置７６の入力ポート７６ａから入力される。変換装置７６の制御情報抽出回路７６ｃは、ＰＯＨに挿入されている制御情報を抽出し、変換回路７６ｂに供給する。
【００８９】
変換回路７６ｂは、入力ポート７６ａから供給されたデータをＩＰパケットに変換するとともに、制御情報抽出回路７６ｃから供給された制御情報としての送信先をヘッダに付加し、送信先のクライアント７７が接続されている出力ポート７６ｄに供給する。
【００９０】
出力ポート７６ｄは、変換回路７６ｂから供給されたＩＰパケットを、クライアント７７に対して送信する。なお、このときの転送速度は、クライアント７７との間の回線に応じて任意に設定することが可能である。
【００９１】
その結果、ＳＯＮＥＴ装置７３のハードディスク１１０に格納されているデータが読み出され、クライアント７７に対して送信されることになる。
なお、クライアント７８，７９から同様の要求がなされた場合にも、ハードディスク１１０に格納されているデータが送信される。また、マルチキャスト機能を用いれば、クライアント７７〜７９に対して同時に同一のデータを転送することも可能である。
【００９２】
従って、以上の実施の形態によれば、データをＳＯＮＥＴ装置７３のハードディスク１１０に一旦格納した後に、クライアント７７に対して送信するようにしたので、コンテンツ提供サーバ７０からＳＯＮＥＴ装置７３までの回線は使用する必要がなくなり、他のユーザの回線を圧迫することなく、データを伝送することが可能になる。
【００９３】
また、要求を行ったクライアントが接続された回線に応じた通信速度でデータを送信することが可能になるので、クライアントに応じた最適な通信速度でのデータの伝送が可能になる。
【００９４】
なお、以上のようにしてハードディスク１１０に格納されているデータが不要になった場合には、図示せぬプロバイダからＳＯＮＥＴ装置７２に対して、データの消去要求を行うことにより、該当するデータをハードディスク１１０から消去することも可能である。その場合には、Ｊ１バイト１５０に目的のデータのデータＩＤとデータ量情報とを挿入し、Ｆ２バイト１５４に対してデータ消去要求を挿入したデータをＳＯＮＥＴ装置７２を介してＳＯＮＥＴ装置７３に送ることで目的のデータを消去することができる。
【００９５】
また、ハードディスク１１０に格納されているデータが勝手に消去されてしまうことを防止するために、データをロックすることも可能である。その場合には、Ｊ１バイト１５０に目的のデータのデータＩＤとデータ量情報とを挿入し、Ｆ２バイト１５４に対してデータロック要求を挿入したデータをＳＯＮＥＴ装置７２を介してＳＯＮＥＴ装置７３に送ることで目的のデータをロックすることができる。
【００９６】
更に、ロックされているデータのロックを解除することも可能である。その場合には、Ｊ１バイト１５０に目的のデータのデータＩＤとデータ量情報とを挿入し、Ｆ２バイト１５４に対してデータロック解除要求を挿入したデータをＳＯＮＥＴ装置７２を介してＳＯＮＥＴ装置７３に送ることで目的のデータのロックを解除することができる。
【００９７】
次に、以上の実施の形態において実行される処理の流れについてフローチャートを参照して説明する。
図８は、変換装置７１において実行される処理の一例を説明するフローチャートである。このフローチャートが開始されると、以下のステップが実行される。
【００９８】
ステップＳ１０：
変換装置７１の制御情報抽出回路７１ｅは、コンテンツ提供サーバ７０からデータ書き込み要求がなされたか否かを判定し、要求がなされたと判定した場合にはステップＳ１１に進み、それ以外の場合には処理を終了する。
【００９９】
ステップＳ１１：
変換回路７１ｄは、該当するデータを入力ポート７１ｂから取得する。
ステップＳ１２：
変換回路７１ｄは、制御情報抽出回路７１ｅから供給された制御情報をＰＯＨに挿入する。
【０１００】
ステップＳ１３：
変換回路７１ｄは、所定のポートへデータを送信する。
次に、図９を参照して、ＳＯＮＥＴ装置７２において実行される処理について説明する。このフローチャートが開始されると、以下のステップが実行される。
【０１０１】
ステップＳ２０：
制御情報抽出部１０８は、抽出した制御情報を参照し、データの読み出し要求等（読み出し要求、消去要求、ロック要求、ロック解除要求）であるか否かを判定し、データ読み出し要求等である場合にはステップＳ２１に進み、それ以外の場合にはステップＳ２２に進む。
【０１０２】
ステップＳ２１：
制御部１１２は、制御情報挿入部１１８に対して、受信した制御情報をＰＯＨに挿入し、得られたデータを該当するＳＯＮＥＴ装置に送信させる。
【０１０３】
ステップＳ２２：
制御部１１２は、データを所定のポートで受信したか否かを判定し、所定のポートで受信したと判定した場合には、ステップＳ２４に進み、それ以外の場合にはステップＳ２３に進む。
【０１０４】
ステップＳ２３：
制御部１１２は、通常のＳＯＮＥＴフレーム処理を実行する。
ステップＳ２４：
制御情報抽出部１０８は、必要な情報を抽出する。
【０１０５】
ステップＳ２５：
制御部１１２は、ステップＳ２４で抽出された情報（送り先情報）を参照し、経路切り換え部１０９および経路選択部１１３を制御し、データの受信を開始する。
【０１０６】
ステップＳ２６：
制御部１１２は、制御情報挿入部１１８を制御し、制御情報をＰＯＨに挿入させる。
【０１０７】
ステップＳ２７：
該当するＦＲＡＭＥＲは、ＰＯＨに制御情報が挿入されたデータを入力し、ＳＯＮＥＴフレームに変換する。
【０１０８】
ステップＳ２８：
該当する変換部は、ＦＲＡＭＥＲから供給されたデータを光信号に変換して送信する。
【０１０９】
次に、図１０を参照して、ＳＯＮＥＴ装置７３において実行される処理について説明する。このフローチャートが開始されると、以下のステップが実行される。
【０１１０】
ステップＳ４０：
該当する入力バッファは、ＳＯＮＥＴ装置７２から送信されたデータを受信する。
【０１１１】
ステップＳ４１：
制御情報抽出部１０８は、ＰＯＨから制御情報を抽出する。
ステップＳ４２：
制御情報抽出部１０８は、ステップＳ４１において抽出した制御情報が、記憶制御情報（記憶要求、読み出し要求等）であるか否かを判定し、記憶制御情報である場合にはステップＳ４５に進み、それ以外の場合にはステップＳ４３に進む。
【０１１２】
ステップＳ４３：
制御部１１２は、通常のＳＯＮＥＴフレーム処理を実行する。
ステップＳ４４：
ステップＳ４３において通常のＳＯＮＥＴフレーム処理が施されたデータを、該当する変換部から送信する。
【０１１３】
ステップＳ４５：
データ記憶制御部１１１は、制御情報抽出部１０８から供給された記憶制御情報が記憶要求であるか否かを判定し、記憶要求である場合にはステップＳ４６に進み、それ以外の場合にはステップＳ４７に進む。
【０１１４】
ステップＳ４６：
データ記憶制御部１１１は、データ記憶処理を実行する。なお、この処理の詳細については後述する。
【０１１５】
ステップＳ４７：
データ記憶制御部１１１は、制御情報抽出部１０８から供給された記憶制御情報が読み出し要求であるか否かを判定し、読み出し要求である場合にはステップＳ４８に進み、それ以外の場合にはステップＳ４９に進む。
【０１１６】
ステップＳ４８：
データ記憶制御部１１１は、データ読み出し処理を実行する。なお、この処理の詳細については後述する。
【０１１７】
ステップＳ４９：
データ記憶制御部１１１は、制御情報抽出部１０８から供給された記憶制御情報が消去要求であるか否かを判定し、消去要求である場合にはステップＳ５０に進み、それ以外の場合にはステップＳ５１に進む。
【０１１８】
ステップＳ５０：
データ記憶制御部１１１は、データ消去処理を実行する。なお、この処理の詳細については後述する。
【０１１９】
ステップＳ５１：
データ記憶制御部１１１は、制御情報抽出部１０８から供給された記憶制御情報がロック要求であるか否かを判定し、ロック要求である場合にはステップＳ５２に進み、それ以外の場合にはステップＳ５３に進む。
【０１２０】
ステップＳ５２：
データ記憶制御部１１１は、データロック処理を実行する。なお、この処理の詳細については後述する。
【０１２１】
ステップＳ５３：
データ記憶制御部１１１は、制御情報抽出部１０８から供給された記憶制御情報がロック解除要求であるか否かを判定し、ロック解除要求である場合にはステップＳ５４に進み、それ以外の場合には処理を終了する。
【０１２２】
ステップＳ５４：
データ記憶制御部１１１は、データロック解除処理を実行する。なお、この処理の詳細については後述する。
【０１２３】
次に、図１１を参照して、図１０のステップＳ４６に示す「データ記憶処理」の詳細について説明する。このフローチャートが開始されると、以下のステップが実行される。
【０１２４】
ステップＳ７０：
データ記憶制御部１１１は、経路切り換え部１０９を制御して経路を切り換え、受信したデータがハードディスク１１０に供給されるように設定する。
【０１２５】
ステップＳ７１：
ハードディスク１１０は、経路切り換え部１０９から供給されたデータを所定の領域に格納する。
【０１２６】
次に、図１２を参照して、図１０のステップＳ４８に示す「データ読み出し処理」の詳細について説明する。このフローチャートが開始されると、以下のステップが実行される。
【０１２７】
ステップＳ９０：
データ記憶制御部１１１は、ハードディスク１１０から指定されたデータを読み出す。
【０１２８】
ステップＳ９１：
データ記憶制御部１１１は、経路選択部１１３を制御し、ハードディスク１１０から読み出されたデータを所定のＰＯＨ挿入部に供給し、そこで、ＰＯＨに制御情報を挿入させる。
【０１２９】
ステップＳ９２：
該当するＦＲＡＭＥＲは、ＰＯＨ挿入部から供給されたデータをＳＯＮＥＴフレームに変換する処理を実行する。
【０１３０】
ステップＳ９３：
該当する変換部は、ＦＲＡＭＥＲから供給されたデータを光信号に変換して送信する。
【０１３１】
次に、図１３を参照して、図１０のステップＳ５０に示す「データ消去処理」の詳細について説明する。このフローチャートが開始されると、以下のステップが実行される。
【０１３２】
ステップＳ１１０：
データ記憶制御部１１１は、ハードディスク１１０を検索し、該当するデータがロックされているか否かを判定し、ロックされている場合にはステップＳ１１２に進み、それ以外の場合にはステップＳ１１１に進む。
【０１３３】
ステップＳ１１１：
データ記憶制御部１１１は、指定されたデータをハードディスク１１０から消去する。
【０１３４】
ステップＳ１１２：
ロックされているデータに対して消去要求がなされたことから、データ記憶制御部１１１は、例外処理を実行する。
【０１３５】
次に、図１４を参照して、図１０のステップＳ５２に示す「データロック処理」の詳細について説明する。このフローチャートが開始されると、以下のステップが実行される。
【０１３６】
ステップＳ１３０：
データ記憶制御部１１１は、ハードディスク１１０を検索し、該当するデータがロック済みか否かを判定し、ロック済みである場合にはステップＳ１３２に進み、それ以外の場合にはステップＳ１３１に進む。
【０１３７】
ステップＳ１３１：
データ記憶制御部１１１は、指定されたデータを消去できないようにロックする。なお、具体的には、例えば、ハードディスク１１０のデータ管理テーブルにおいて、所定のビットをＯＮまたはＯＦＦすることにより、データのロックの有無を表現し、このビットをＯＮすることでロック機能を実現できる。
【０１３８】
ステップＳ１３２：
ロック済みのデータに対して重ねてロック要求がなされたことから、データ記憶制御部１１１は、例外処理を実行する。
【０１３９】
次に、図１５を参照して、図１０のステップＳ５４に示す「データロック解除処理」の詳細について説明する。このフローチャートが開始されると、以下のステップが実行される。
【０１４０】
ステップＳ１５０：
データ記憶制御部１１１は、ハードディスク１１０を検索し、該当するデータがロック解除済みか否かを判定し、ロック解除済みである場合にはステップＳ１５２に進み、それ以外の場合にはステップＳ１５１に進む。
【０１４１】
ステップＳ１５１：
データ記憶制御部１１１は、指定されたデータのロックを解除し、消去可能の状態にする。
【０１４２】
ステップＳ１５２：
ロック解除済みのデータに対して重ねてロック解除要求がなされたことから、データ記憶制御部１１１は、例外処理を実行する。
【０１４３】
以上の処理によれば、前述した実施の形態において説明した動作を実現することが可能になる。
次に、図１６〜図１９を参照して、本発明の第２〜第５の実施の形態について説明する。
【０１４４】
先ず、図１６は、本発明の第２の実施の形態の構成例を示す図である。この図の例では、ＳＯＮＥＴ装置は、ＩＦユニット１７０、ＳＷユニット１７１、および、ＩＦユニット１７２によって構成されており、データ記憶部１７２ａ〜１７２ｄは、ＩＦユニット１７２に内蔵されている。
【０１４５】
なお、ＩＦユニット１７０は、図５に示す入力バッファ１００〜１０３、ＰＯＨ終端部１０４〜１０７、および、制御情報抽出部１０８に対応している。また、ＳＷユニット１７１は、経路切り換え部１０９、データ記憶制御部１１１、制御部１１２、および、経路選択部１１３に対応している。更に、ＩＦユニット１７２は、ＰＯＨ挿入部１１４〜１１７、制御情報挿入部１１８、ＦＲＡＭＥＲ１１９〜１２２、および、変換部１２３〜１２６に対応している。
【０１４６】
このように、データ記憶部１７２ａ〜１７２ｄをＩＦユニット１７２に内蔵し、ＳＷユニット１７１から出力されたデータを記憶するようにすることによっても、前述の第１の実施の形態の場合と同様の効果を得ることができる。
【０１４７】
図１７は、本発明の第３の実施の形態の構成例を示す図である。この図の例は、ＩＦユニット１８０、ＳＷユニット１８１、および、ＩＦユニット１８２によって構成されており、データ記憶部１８０ａ〜１８０ｄは、ＩＦユニット１８０に内蔵されている。
【０１４８】
この図に示すように、データ記憶部１８０ａ〜１８０ｄをＩＦユニット１８０に内蔵し、ＴＤＭ（Time Division Multiplex ）  ＤＭＵＸ部から出力されたデータを記憶することによっても前述の第１の実施の形態と同様の効果を得ることができる。
【０１４９】
図１８は、本発明の第４の実施の形態の構成例を示す図である。この図の例は、ＩＦユニット１９０、ＳＷユニット１９１、および、ＩＦユニット１９２によって構成されており、データ記憶部１９１ａは、ＳＷユニット１９１に内蔵されている。
【０１５０】
この図に示すように、データ記憶部１９１ａをＳＷユニット１９１に内蔵し、ＳＷユニット１９１から出力されたデータをデータ記憶部１９１ａに記憶し、必要に応じて読み出してＳＷユニット１９１に供給するようにしても前述の第１の実施の形態と同様の効果を得ることができる。
【０１５１】
図１９は、本発明の第５の実施の形態の構成例を示す図である。この図の例は、ＩＦユニット２００、ＳＷユニット２０１、データ記憶ユニット２０２、および、ＩＦユニット２０３によって構成されている。
【０１５２】
この図に示すように、データ記憶ユニット２０２を装備し、ＳＷユニット２０１から出力されたデータをデータ記憶ユニット２０２に記憶し、必要に応じて読み出してＳＷユニット２０１に供給するようにしても前述の第１の実施の形態と同様の効果を得ることができる。
【０１５３】
なお、以上の実施の形態では、伝送装置としてＳＯＮＥＴ装置を例に挙げて説明したが、例えば、ＳＤＨ（Synchronous Digital Hierarchy）装置に対して本発明を適用することが可能であることはいうまでもない。
【０１５４】
（付記１）  中継網において、ネットワークノード間を接続し、データを多重化して伝送する伝送装置において、
前記データを受信する受信部と、
前記受信部によって受信されたデータから制御情報を抽出する制御情報抽出部と、
前記制御情報抽出部によって抽出された制御情報に、所定のデータに対する記憶要求が含まれている場合には当該データを取得するデータ取得部と、
前記データ取得部によって取得されたデータを記憶する記憶部と、
を有することを特徴とする伝送装置。
【０１５５】
（付記２）  前記制御情報に、前記記憶部に記憶されている所定のデータに対する読み出し要求が含まれている場合には、該当するデータを前記記憶部から読み出す読み出し部と、
前記読み出し部によって読み出された所定のデータを該当する相手装置に対して送信する送信部と、
を更に有することを特徴とする付記１記載の伝送装置。
【０１５６】
（付記３）  前記送信部は、前記受信部の受信速度とは独立に任意の伝送速度でデータを送信することを特徴とする付記２記載の伝送装置。
（付記４）  前記送信部は、複数の相手装置に対して同一のデータを送信することを特徴とする付記２記載の伝送装置。
【０１５７】
（付記５）  前記制御情報を挿入する制御情報挿入部を更に有することを特徴とする付記１記載の伝送装置。
（付記６）  前記制御情報に、前記記憶部に記憶されている所定のデータに対する消去要求が含まれている場合には、該当するデータを消去する消去部を更に有することを特徴とする付記１記載の伝送装置。
【０１５８】
（付記７）  前記記憶部は、前記受信部に配置されていることを特徴とする付記１記載の伝送装置。
（付記８）  前記記憶部は、前記送信部に配置されていることを特徴とする付記１記載の伝送装置。
【０１５９】
（付記９）  回線切り替え部を更に有し、
前記記憶部は、前記回線切り替え部に配置されていることを特徴とする付記１記載の伝送装置。
【０１６０】
（付記１０）  前記受信部または前記送信部は、ＳＯＮＥＴまたはＳＤＨ方式に基づいてデータを送信または受信することを特徴とする付記１記載の伝送装置。
【０１６１】
（付記１１）  中継網において、ネットワークノード間を接続し、データを多重化して伝送する伝送装置が複数接続されて形成された伝送システムにおいて、
少なくとも１の前記伝送装置は、
前記データを受信する受信部と、
前記受信部によって受信されたデータから制御情報を抽出する制御情報抽出部と、
前記制御情報抽出部によって抽出された制御情報に、所定のデータに対する記憶要求が含まれている場合には当該データを取得するデータ取得部と、
前記データ取得部によって取得されたデータを記憶する記憶部と、
を有することを特徴とする伝送システム。
【０１６２】
【発明の効果】
以上説明したように本発明では、サーバに接続され、サーバからのデータを中継する伝送装置において、データを受信する受信部と、受信部によって受信されたデータから制御情報を抽出する制御情報抽出部と、制御情報抽出部によって抽出された制御情報に、所定のデータに対する記憶要求が含まれている場合には当該データを取得するデータ取得部と、データ取得部によって取得されたデータを記憶する記憶部と、を設けるようにしたので、データの要求を行ったユーザの回線に対応する最適な速度でデータを送信することが可能になる。
【０１６３】
サーバに接続され、サーバからのデータを中継する中継網を構成する伝送装置において、少なくとも１の伝送装置は、データを受信する受信部と、受信部によって受信されたデータから制御情報を抽出する制御情報抽出部と、制御情報抽出部によって抽出された制御情報に、所定のデータに対する記憶要求が含まれている場合には当該データを取得するデータ取得部と、データ取得部によって取得されたデータを記憶する記憶部と、を設けるようにしたので、他のユーザの使用する回線を圧迫することなくデータを転送することが可能になる。
【図面の簡単な説明】
【図１】本発明の動作原理を説明する原理図である。
【図２】本発明の実施の形態の構成例を示す図である。
【図３】図２に示す変換装置７１の詳細な構成例を示す図である。
【図４】図２に示す変換装置７６の詳細な構成例を示す図である。
【図５】図２に示すＳＯＮＥＴ装置の詳細な構成例を示す図である。
【図６】制御情報の一例を示す図である。
【図７】ＰＯＨにおいて制御情報を挿入する位置を示す図である。
【図８】変換装置７１において実行される処理の一例を説明するフローチャートである。
【図９】ＳＯＮＥＴ装置７２において実行される処理について説明するフローチャートである。
【図１０】ＳＯＮＥＴ装置７３において実行される処理について説明するフローチャートである。
【図１１】図１０のステップＳ４６に示す「データ記憶処理」の詳細について説明するフローチャートである。
【図１２】図１０のステップＳ４８に示す「データ読み出し処理」の詳細について説明するフローチャートである。
【図１３】図１０のステップＳ５０に示す「データ消去処理」の詳細について説明するフローチャートである。
【図１４】図１０のステップＳ５２に示す「データロック処理」の詳細について説明するフローチャートである。
【図１５】図１０のステップＳ５４に示す「データロック解除処理」の詳細について説明するフローチャートである。
【図１６】本発明の第２の実施の形態の構成例を示す図である。
【図１７】本発明の第３の実施の形態の構成例を示す図である。
【図１８】本発明の第４の実施の形態の構成例を示す図である。
【図１９】本発明の第５の実施の形態の構成例を示す図である。
【図２０】インターネットを利用した画像配信や有線放送の一例を示す図である。
【図２１】インターネット内における分散したキャッシュサーバの構成を示す図である。
【図２２】ＳＯＮＥＴ／ＳＤＨの基本的な特徴である入回線と出回線が同時性を説明する図である。
【図２３】広域ネットワーク網の利用効率が悪いという問題点を説明するための図である。
【符号の説明】
６０  伝送装置
６０ａ  受信部
６０ｂ  制御情報抽出部
６０ｃ  データ取得部
６０ｄ  記憶部
６０ｅ  読み出し部
６０ｆ  送信部
６１  コンテンツ提供サーバ
６２  伝送装置
６３  クライアント
７０  コンテンツ提供サーバ
７１  変換装置
７１ａ〜７１ｃ  入力ポート
７１ｄ  変換回路
７１ｅ  制御情報抽出回路
７１ｆ  出力ポート
７２〜７５  ＳＯＮＥＴ装置
７６  変換装置
７６ａ  入力ポート
７６ｂ  変換回路
７６ｃ  制御情報抽出回路
７６ｄ〜７６ｆ  出力ポート
７７〜７９  クライアント
１００〜１０３  入力バッファ
１０４〜１０７  ＰＯＨ終端部
１０８  制御情報抽出部
１０９  経路切り換え部
１１０  ハードディスク
１１１  データ記憶制御部
１１２  制御部
１１３  経路選択部
１１４〜１１７  ＰＯＨ挿入部
１１８  制御情報挿入部
１１９〜１２２  ＦＲＡＭＥＲ
１２３〜１２６  変換部
【図１】
0003970581.tif 000002
【図２】
0003970581.tif 000003
【図３】
0003970581.tif 000004
【図４】
0003970581.tif 000005
【図５】
0003970581.tif 000006
【図６】
0003970581.tif 000007
【図７】
0003970581.tif 000008
【図８】
0003970581.tif 000009
【図９】
0003970581.tif 000010
【図１０】
0003970581.tif 000011
【図１１】
0003970581.tif 000012
【図１２】
0003970581.tif 000013
【図１３】
0003970581.tif 000014
【図１４】
0003970581.tif 000015
【図１５】
0003970581.tif 000016
【図１６】
0003970581.tif 000017
【図１７】
0003970581.tif 000018
【図１８】
0003970581.tif 000019
【図１９】
0003970581.tif 000020
【図２０】
0003970581.tif 000021
【図２１】
0003970581.tif 000022
【図２２】
0003970581.tif 000023
【図２３】
0003970581.tif 000024